(57)【要約】本発明は、ビデオカメラと該ビデオカメラのための配置ユニットとを含むタイプのビデオ監視ステーションのためのインタフェースデバイスに関する。インタフェースデバイスは、遠隔ターミナルへ接続する第１のポートと、ビデオカメラに接続する第２のポートと、ビデオカメラのための配置ユニットに接続する第３のポートと、三つのポートと操作自在に接続してコマンドを第１のポートを介して第２のポート及び／又は第３のポートへ伝送するマイクロプロセッサ回路とを含む。マイクロプロセッサ回路は、物理レベル若しくは論理レベルにて分離される二つのネットワークを介してビデオカメラ及び遠隔ターミナルと通信し、これにより、マイクロプロセッサ回路のみが、遠隔ターミナルから受信するデータを、ビデオカメラ、若しくは配置ユニットに送信できるし、その逆も可能であるが、遠隔ターミナルは、ビデオカメラ、若しくは配置ユニットと通信をすることができない。
2015511803.tif 000002
【特許請求の範囲】
【請求項１】
ビデオカメラ（１）と該ビデオカメラ（１）のための配置ユニット（２）とを含むタイプのビデオ監視ステーションのためのインタフェースデバイス（３）であって、
前記インタフェースデバイス（３）は、
ネットワーク（１０３）を介して遠隔ターミナル（４）へ接続する第１のポート（４０３）と、
ビデオカメラ（１）に接続する第２のポート（５０３）と、
ビデオカメラ（１）のための配置ユニット（２）に接続する第３のポート（６０３）と、
前記第１のポート（４０３）、前記第２のポート（５０３）及び前記第３のポート（６０３）と操作自在に接続して遠隔ターミナルから受信されるコマンドを第１のポート（４０３）を介して第２のポート（５０３）及び／又は第３のポート（６０３）へ伝送し可能であれば変換するマイクロプロセッサ回路（７０３）とを、含み、
前記マイクロプロセッサ回路（７０３）は、物理レベル若しくは論理レベルにて分離される二つのネットワーク（１０３、２０３）を介してビデオカメラ（１）及び遠隔ターミナル（４）と通信するように構成され、これにより、マイクロプロセッサ回路（７０３）のみが、第１のポート（４０３）と接続する遠隔ターミナル（４）から受信するデータを、第２のポート（５０３）に接続するビデオカメラ（１）、若しくは第３のポート（６０３）に接続する配置ユニット（２）に送信できるし、また、その逆も可能であるが、一方で、前記第１のポート（４０３）に接続する遠隔ターミナル（４）は、前記第２のポート（５０３）に接続するビデオカメラ（１）、若しくは前記第３のポートに接続する配置ユニット（２）と通信をすることができない
インタフェースデバイス（３）。
【請求項２】
二つのネットワークが物理的分離にされ、マイクロプロセッサ回路（７０３）が二つの分離されたネットワークカードを含み、前記二つのネットワークカードの各々が前記第１と前記第２のポートのうちの一つと操作自在に接続して、前記二つのネットワーク上で通信する
請求項１に記載のデバイス。
【請求項３】
第３のポート（６０３）が配置ユニット（２）と接続するためのシリアルポートであり、インタフェースデバイスが、前記第１のポート（４０３）上でデジタルデータを受信し、前記配置ユニットに向けられたコマンドを抽出し、前記抽出されたコマンドのアナログコマンドへの変換を行い、更に、前記アナログコマンドをシリアルポートを介して前記配置ユニット（２）へ伝送する
請求項１又は２に記載のデバイス。
【請求項４】
デバイスの第１のポート（４０３）が、第１のＬＡＮネットワーク（１０３）と接続し、例えば、遠隔コントロールＰＣ（４）とインタフェースし、第２のポート（５０３）が、第２のＬＡＮネットワーク（２０３）と接続し、例えば、ＩＰビデオカメラ（１）とインタフェースするときは、第１のＬＡＮネットワーク（１０３）と第２のＬＡＮネットワーク（２０３）は相互に物理的に分離され、二つのネットワーク間のデータ交換はマイクロプロセッサ回路（７０３）により発生する
請求項１から３のうちのいずれか一に記載のデバイス。
【請求項５】
少なくとも三つのポートを装備するネットワークスイッチ（５）を含み若しくは該ネットワークスイッチ（５）と連結し、前記三つのポートの第１と第２のものはインタフェースデバイス（３）の第１（４０３）と第２のポート（５０３）の各々と適合し、スイッチ（５）の第３のポート（２０５）は、マイクロプロセッサ回路（７０３）を介してインタフェースデバイス（３）の第３のポート（６０３）と接続し、スイッチ（５）は、ネットワークを、スイッチ（５）の、第１（４０３）と第３のポート（２０５）間の第１のＬＡＮネットワークと第２（５０３）と第３のポート（２０５）間の第２のＬＡＮネットワークとに、分割することを実行するように、プログラムされている
請求項１から４のうちのいずれか一に記載のデバイス。
【請求項６】
スイッチ（５）のポートが、ＩＥＥＥ  ８０２．１ｑ  スタンダードに従うタグ付けされたタイプの二つのＶＬＡＮにより構成されている
請求項５に記載のデバイス。
【請求項７】
スイッチ（５）の第２のポート（５０３）は、ビデオカメラ（１）から生じるパケットを識別するべく機能するＶＬＡＮタグ（６０５）を自動挿入し、ビデオカメラ（１）に向けられたパケットからＶＬＡＮタグ（７０５）を除去するように、構成されており、一方で、スイッチ（５）の第１のポート（４０３）は、ＰＣ（４）から生じるパケットを識別するべく機能するＶＬＡＮタグ（４０５）を自動挿入し、ＰＣ（４）に向けられたパケットからＶＬＡＮタグ（５０５）を除去するように、構成されており、二つのポートのＶＬＡＮタグは異なるものであり、スイッチ（５）の第３のポート（２０５）はトランスペアレントであり第１（４０３）及び第２のポート（５０３）からマイクロプロセッサ回路（７０３）に向かって、及びその逆に、パケットを通過させ、マイクロプロセッサ回路（７０３）は、ターゲット及びパケットのタイプに拠ってタグ及び／又はパケットを変化させ、これにより、適切なポートへのデータパケットを、トランスペアレントに、接続するデバイスに向かわせる
請求項６又は７に記載のデバイス。
【請求項８】
スイッチ（５）の第１（４０３）と第２のポート（５０３）は、所定のＶＬＡＮタグを伴うデータパケットを受け入れ、所定のＶＬＡＮタグとは異なるＶＬＡＮタグを有するデータパケットをカットするようにのみ、構成される
請求項７に記載のデバイス。
【請求項９】
マイクロプロセッサ回路（７０３）は、
ビデオカメラ（１）が接続される若しくは接続可能な第２のポート（５０３）からビデオデータストリーミングを受信し、
前記データストリーミングにメタデータの更なるストリームを追加し、ここで前記更なるストリームは前記第２のポート（５０５）とは異なるインプットを介してマイクロプロセッサ回路（７０３）により受信されるものであり、
出力データストリーミングを、遠隔ターミナル（４）が接続される若しくは接続可能な第１のポート（４０３）に送信し、ここで前記出力データストリーミングは前記メタデータ及び、第２のポートから受信されたビデオデータを含み、これにより、ビデオデータ及びメタデータを単体のファイル内に格納させるものである
請求項１から８のうちのいずれか一に記載のデバイス。
【請求項１０】
メタデータの更なるストリームは、タイムスタンプ、フレーム信頼性情報、座標、ビデオコンテント分析データ、テレメタリデータ、パンチルトユニットへ関連された設備付属品の状態、及びハウジングへ関連された設備付属品の状態、から成るグループから選択可能な一つ以上の要素を含む
請求項９に記載のデバイス。
【請求項１１】
マイクロプロセッサ回路（７０３）は、
ビデオカメラ（１）が接続される若しくは接続可能な第２のポート（５０３）からビデオデータストリーミングを受信し、
前記配置ユニット（２）の配置座標を取得するために、前記配置ユニット（２）のコントロールユニット（３０２）を前記第３のポート（６０３）を介して取り調べ、
出力データストリーミングを、遠隔ターミナル（４）が接続される若しくは接続可能な第１のポート（４０３）に送信し、ここで前記出力データストリーミングは第２のポートから受信されたビデオデータ及び前記第３のポート（６０３）を介して取得される配置座標を含む
請求項１から１０のうちのいずれか一に記載のデバイス。
【請求項１２】
回路（７０３）は、前記第２のポート（５０３）を介してビデオカメラ（１）からデータをダウンロードするクライアント機能、特に、ＲＴＳＰクライアントと、第１のポート（４０３）を介して遠隔ターミナル（４）へデータを好ましくはリアルタイムで送信するサーバ機能、特にＲＴＳＰサーバとの両方を実行するように構成され、遠隔ターミナル（４）へのアウトプットデータストリームは、単体のファイルに格納されるように単体のストリームで転送される、映像、音声、及び配置ユニット（２）の配置座標を、含む
請求項１１に記載のデバイス。
【請求項１３】
第２のビデオカメラ（１’）の接続のための第４のポート（５０３’）を更に含み、
遠隔ターミナル（４）から生じるコマンドは、設置されたビデオカメラのタイプ及び関連配置ユニット（２）に拠ってデバイス（３）により、第２のポート（５０３）を介して第１のビデオカメラ（１）に送信されるコマンド、第４のポート（５０３’）を介して第２のビデオカメラ（１’）に送信されるコマンド、及び第３のポート（６０３）を介して配置ユニット（２）に送信されるコマンドに分割され、第１のビデオカメラ（１）から、第２のビデオカメラ（１’）から、及び配置ユニット（２）から、生じるデータストリームは、インタフェースデバイス（３）内にダウンロードされ、同じビデオストリーミング内部でビデオコントロールターミナル（４）にリアルタイムで送信される
請求項１から１２のうちのいずれか一に記載のデバイス。
【請求項１４】
ビデオカメラ（１）のための配置ユニット（２）であって、
前記配置ユニット（２）は、複数のデバイス及びアクチュエータ（２０２）をコントロールするように調整されたコントロールユニット（３０２）を含み、
それは、請求項１から１３のうちのいずれか一に記載のインタフェースデバイス（３）を含み、
前記配置ユニットは、ビデオカメラ（１）と接続するためのポートと、及び、前記遠隔ターミナル（４）と接続するためのポートとを含み、
ビデオカメラと接続するためのポートはデバイス（３）の第２のポート（５０３）であり、遠隔ターミナル（４）と接続するためのポートはデバイス（３）の第１のポート（４０３）である
配置ユニット。
【請求項１５】
ビデオカメラ（１）と該ビデオカメラ（１）のための配置ユニット（２）とを含むタイプのビデオ監視ステーションをコントロールする方法であって、
ビデオ監視ステーションは遠隔ビデオ監視ターミナル（４）からコマンドを受信するローカルマイクロプロセッサ回路（７０３）を含み、前記コマンドは、ビデオカメラ（１）により、及び／又は、ステーションの配置ユニット（２）により実行されるように意図されており、
前記インタフェースデバイス（３）は、
物理レベル若しくは論理レベルにて分離される二つのネットワーク（１０３、２０３）を介してビデオカメラ（１）及び遠隔ターミナル（４）と通信し、これにより、マイクロプロセッサ回路（７０３）のみが、第１のポート（４０３）と接続する遠隔ターミナル（４）から受信するデータを、第２のポート（５０３）に接続するビデオカメラ（１）、若しくは第３のポート（６０３）に接続する配置ユニット（２）に送信でき、また、その逆も可能であるが、一方で、前記第１のポート（４０３）に接続する遠隔ターミナル（４）は、前記第２のポート（５０３）に接続するビデオカメラ（１）、若しくは前記第３のポートに接続する配置ユニット（２）と通信をすることができない
方法。
【請求項１６】
マイクロプロセッサ回路（７０３）は、二つのネットワークカードにより分離された二つのネットワークセグメントを介して、遠隔ターミナル（４）及びビデオカメラ（１）と通信する
請求項１５に記載の方法。
【請求項１７】
遠隔ターミナルは、ビデオ監視ステーションに関連する単体のＩＰアドレスにデータを送信し、マイクロプロセッサ回路は、受信されたデータを選択してビデオカメラ（１）若しくは配置ユニット（２）へ送信する
請求項１５又は１６に記載の方法。
【請求項１８】
マイクロプロセッサ回路（７０３）は、
ビデオカメラ（１）からビデオデータストリーミングを受信し、
前記ビデオデータストリーミングにメタデータの更なるストリームを追加し、ここで前記更なるストリームは、ビデオ監視ステーションの内部の、ビデオカメラとは異なるソースから生じるものであり、
データストリーミングを遠隔ターミナルへ送信し、ここで出力データストリーミングは前記メタデータ及び、ビデオカメラから受信されたビデオデータを含み、これにより、ビデオデータ及びメタデータを単体のファイル内に格納させるものである
請求項１６又は１７に記載の方法。
【請求項１９】
メタデータは配置ユニット（２）の配置座標を含み、前記座標はマイクロプロセッサ回路（７０３）が前記配置ユニット（２）のコントロールユニット（３０２）を取り調べることにより取得される
請求項１８に記載の方法。
【発明の詳細な説明】
【技術分野】
【０００１】
本発明は、ビデオカメラ及びビデオ監視ステーションのためのローカルコントロールシステムを含むタイプの、ビデオ監視ステーションのためのインタフェースデバイスに関する。ローカルコントロールシステムは、パンチルトユニット、ハウジング及び関連設備付属品などの、複数のデバイス及びアクチュエータをコントロールするコントロールユニットを含む。
【背景技術】
【０００２】
パンチルトユニットは、ＣＣＴＶアプリケーションのビデオカメラのための配置システムであり、長年に亘って確立されたインタフェースにより遠隔制御される装置である。つまり、（パンチルトユニットに搭載された）ビデオカメラから遠隔ビデオ監視センタへビデオをトランスポートするための同軸ケーブル、及び、パンチルトユニットを動かすためのテレメトリコマンドを交換するシリアルラインである。シリアルラインは、送信手段として銅ねじりペアケーブルを用いてもよいし、適切な変調技術によって同じ同軸ケーブル上で転送されてもよい。
【０００３】
例えば、回転速度やワイパの存否などの、機械的特徴を抜きにして、パンチルトユニットの主たる機能特性は、そのフレキシビリティである。パンチルトユニットによりインストーラにより選ばれるビデオカメラをインストールすることが可能であり、更に、ビデオカメラ自身に接続するフォーカスを選択することが可能である。更に、必要に拠って、例えば、白色ランプや赤外線照明器などの選択器具装備でパンチルトユニットをカスタマイズすることも可能である。更に、適用のタイプに基づいて、パンチルトユニットの様々なデザインを開発することが可能である。都市部での利用のためのパンチルトユニット、腐食剤に耐えねばならない海岸沿いでの設置のためのパンチルトユニット、危険環境での設置のための防爆性パンチルトユニット、などである。
【０００４】
ここ数年、ＩＰ（画像処理）技術に基づくＣＣＴＶのための新しい製品が登場している。これらのデジタル製品は、従来のアナログシステム、つまり、転送されるアナログビデを提供するシステムでは、実装され得ない新しい機能をユーザに提供する。
【０００５】
不幸なことであるが、これらのアナログシステムからデジタルシステムへの流れは、従来システムの典型的なアーキテクチャとの非互換性の突出を生じてきた。
【０００６】
特に、パンチルトユニットは、そのような変化に最も苦しんだ製品であった。実際、その代わりのデジタル世界では、ビデオカメラ、フォーカス及びムーブメントシステムを内部に組み込む、ビルトインビデオカメラであるドームカメラは、一般的利用されている。
【０００７】
この置換の理由は、ビデオストリームを制御し表示するシステム内に見出されなければならない。アナログシステムでは、モニタが、表示のために用いられ、ビデオマトリクスが、ビデオストリームをリスケールするために、及び、モニタ上のチェスボードとして設定されるそれらを表示するために、用いられた。ビデオマトリクスのアウトプットはビデオレコーダにもリダイレクトすることができ、ビデオカメラの制御及び移動は、ＣＣＴＶ（専用）のキーボードに委託されていた。逆にデジタルシステムは、適宜開発されたソフトウエア、いわゆるビデオマネジメントシステム（ＶＭＳｓ）により制御される。それらソフトウエアはビデオカメラからビデオストリームを受信し、ビデオを操作し表示するのに必要な処理を行う。同じように、移動の制御では、専用のキーボードの強制的な利用をもはや要求するものでは無いが、コンピュータキーボードを用いることもできる。
【０００８】
それらＶＭＳプログラムの設計は、以下の理論に基づくものであることが多い。ビデオカメラが静止であるか移動可能であるか、という事実に拘わらず、例えば、パン、チルト、ズームなどの全ての機能は、同じオブジェクトにより実施されなければならない。従って、ＶＭＳは、ネットワーク上の単一のＩＰアドレスにより識別される一つのオブジェクトとのみコミュニケートしなければならない。一つ以上の物理オブジェクトから成るマクロオブジェクトで動作でき、よって一つ以上のＩＰアドレスを伴う、ＶＭＳソフトウエアのケースは、希である。
【０００９】
例えば、とりわけＰＳＩ及びＯＮＶＩＦなどの、カメラ及びドームカメラの制御に対して提案されたプロトコルにおいても、この限定は見出される。なぜなら、それらも同じ理論から始まって開発されたからである。
【００１０】
特に、ドームカメラは、ＩＰネットワークによってインタフェースし得る完全なデジタルデバイスであり、ビルトインされた完全な製品である。それらは、多数のＶＭＳが設計されたタイプの製品である。しかしながら、ドームカメラは、非常に簡素であり即座に利用されるものであるが、十分に正確な構造上の詳細を伴うシステムであり、従って、従来のハウジング若しくはパンチルトユニットに耐えるシステムの主たる特徴であるインストールにおける十分なフレキシビリティを備えない。ここで簡単なコメントを追記しなければならない。プロテクションキャップはフラットでは無く、よってドームカメラはワイパを有することができず、自動的にクリーニングされ得るものではない。
【００１１】
従来のアナログシステムの利点、即ち、アナログビデオを転送する利点を、デジタルドームカメラの接続及び制御の容易性と組み合わせるために、テレ面たりコントロールを伴ういわゆるエンコーダが登場したのであり、それらは、アナログシステムをデジタルプラント内に統合しようとする最初のデバイスである。
【００１２】
この目的を達成するために、エンコーダには、従来のパンチルトユニットとインタフェースするシリアルポート及びビデオインプットと、デジタル信号を遠隔ＶＭＳｓに送信するためのネットワークコネクタとが、備わる。エンコーダは、ネットワークコネクタ上でデジタルコマンドを受信し、パンチルトユニットに連続して関連コントロールを転送する。パンチルトユニットに接続するビデオカメラから受信されたアナログビデオは、コード化され、ネットワークデジタルインタフェースを介して遠隔ＶＭＳへ転送される。
【００１３】
エンコーダは、インドア環境内でのインストール用に認証されたことが多く、よってシステムはいずれにせよアナログワイヤリングを提供しなければならず、それ故これがプラントの更なる拡張の制限である。アウトドア環境内での利用のために認証されるのであれば、パンチルトユニットに近接して配置されるジャンクションボックスをインストールする必要がある。このインストールでは、実装が容易であるとは限らない。しかもこれらのデバイスでは、ドームカメラとして、即ちＩＰネットワークを介して送信されるコマンドによって、ビデオカメラを制御し得るものではない。というのは、カメラそれ自身との接続は、コード化されるとＩＰネットワーク上で管理されるビデオストリーミングを受信するに過ぎない同軸ケーブルによるアナログタイプのものであるからである。実際に、エンコーダデバイスは、パンチルトユニットにのみコマンドを送信しビデオデータのストリーミングを受信するネットワークを用いる。しかし、それらは、ドームカメラの場合に発生する圧縮ビデオのクオリティをコントロールするコマンドをビデオカメラに送信できない。
【００１４】
この理由のため、アナログパンチルトユニット／デジタルカメラのハイブリッドシステムであって、ビデオカメラがパンチルトユニットの制御を操作する、ハイブリッドシステムが提供された。実際に、ＩＰネットワークを介してコマンドをビデオカメラに送信し、該カメラは次に、それらコマンドをパンチルトユニットシステムに送信することが可能である。その解決策の欠点は、主として、パンチルトユニットのコントロールが、ビデオカメラ及びパンチルトユニットに共通のプロトコルのサポートに関連する、という事実である。そのような共通のプロトコルが規定されると、送信可能なコマンドに限度が生じる。なぜなら、パンチルトユニットの全てのコマンドがいずれにせよビデオカメラによりサポートされるものではなく、結局パンチルトユニットがその機能のサブセットでしか動作しないからである。例えば、パンチルトユニットを移動することは可能であるが、パンチルトユニット若しくはハウジングの、ワイパ若しくは他の器具装備を制御することは可能ではない。というのは、それらデバイスを制御するプロトコルは、ビデオカメラを制御するものと同じではあり得ないからである。最大限の利用のフレキシビリティを取得するために、パンチルトユニットとカメラとを分離して維持すること、若しくは独立して制御され得るように維持することが、必要である、という結果となる。
【００１５】
ＷＯ２００７／０３０６８９（特許文献１）では、メッシュノードを伴うネットワークを利用するビデオ管理装置及び方法が示される。アナログ及びデジタルビデオカメラなどの、一般的タイプのデバイスは、ネットワークインタフェースとして作用するネットワークノードに接続する。コントロールターミナルから、ユーザは、ネットワークノードに接続するビデオカメラ若しくは他のデバイスをモニタしてコントロールできる。ネットワークデバイス（例えば、ビデオカメラ）とコントロールターミナルの間の通信はダイレクトであり、ターミナルは制御されるデバイスに割り当てられたＩＰアドレス（例えば、１７２．０１６．０００．０１３）にデータを送信し、ネットワークノードはＩＰアドレスを通させる前にそれらのトランスレーションを実行し得る。
【先行技術文献】
【特許文献】
【００１６】
【特許文献１】ＷＯ２００７／０３０６８９
【発明の概要】
【発明が解決しようとする課題】
【００１７】
本発明の目的は、利用及び設置に関する最高級のフレキシビリティを保証しつつ、デジタルドームカメラの利点と、同時にアナログパンチルトユニットの利点を組み合わせることができる、ビデオカメラのためのインタフェースデバイスを提供することである。そのフレキシビリティは、例えば、次のような事実により表される。設定者若しくはエンドユーザが、例えば、高コントラストフレームのためのワイドダイナミックレンジ、暗い環境でのインストールのための低輝度の場合におけるパフォーマンス、専用アプリケーションのためのサーマルビデオカメラの利用などの、設定者若しくはエンドユーザの要求に最も適合する、設定されるべきＩＰビデオカメラを自由に選択できなければならない、という事実である。
【課題を解決するための手段】
【００１８】
本発明は、添付の請求項に記載の特徴を含むインタフェースデバイスにより目的を達成する。
【００１９】
特に、概略の思想は、ビデオカメラと該ビデオカメラのための配置ユニットとを含むタイプのビデオ監視ステーションのためのインタフェースデバイスである。配置ユニットはステーションのためのローカルコントロールシステムを含み、ローカルコントロールシステムは、例えば、パンチルトユニット、ハウジングの加熱エレメント、ハウジングの通気及び冷却ファン、ワイパなどの、複数のデバイス及びアクチュエータをコントロールするコントロールユニットを含む。
【００２０】
インタフェースデバイスは、ネットワークへ接続する第１のポートと、ビデオカメラ、通常はネットワークのものへ接続する第２のポートと、ローカルコントロールシステムへ接続する第３のポートとを含む。更に、インタフェースデバイスは、第２のポート及び／又は第３のポートに接続される若しくは接続されるべき、ビデオカメラ及びローカルコントロールシステムに拠って、ネットワークから第１のポートを介して受信されるコマンドを第２のポート及び／又は第３のポートへ伝送し可能であれば変換する。
【００２１】
特に、デバイスの第１のポートが、第１のＬＡＮネットワークと接続し、例えば、遠隔コントロールＰＣとインタフェースし、第２のポートが、第２のＬＡＮネットワークと接続し、例えば、ＩＰビデオカメラとインタフェースするときは、第１のＬＡＮネットワークと第２のＬＡＮネットワークは相互に物理的に分離され、二つのネットワーク間のデータ交換は回路を介して発生する。これにより、ネットワークに接続するビデオコントロールターミナルは、ビデオカメラのみが存在する下でも、バイブリッドシステムの場合でも動作でき、一方でパンチルトユニットとビデオカメラは完全分離が維持される。というのは、可能であればコンバージョンにより、若しくは、同じコマンドを分割して一連のサブコマンドとしパンチルトユニット及びビデオカメラに送信してより実効的に特定のコントロールを生成することにより、二つのオブジェクト間でトランスペアレントにコマンドをソートするべく提供するのは、インタフェースデバイスであるからである。このことは、設置されるパンチルトユニットとビデオカメラとのタイプに依存することは明白である。例えば、電動フォーカスを考慮する。この場合、ズームを動かすコマンドをパンチルトユニットに送信することが必要であり、一方でズームがビデオカメラ内に統合されているならば、コマンドはカメラ自身に送信されることになる。
【００２２】
デバイスの第３のポートは、ローカルコントロールシステムに接続するシリアルポートであるのが好ましい。
【００２３】
ビデオカメラからのビデオ／オーディオストリームの受信に関しては、本発明に係るインタフェースデバイスは、ビデオカメラ及び／又はローカルコントロールシステムから第１のポートへデータを、伝送し、可能であれば変換し及び／又は処理する、ように構成されるのが好ましく、特に、インタフェースデバイスは、ビデオカメラが接続され若しくは接続可能である第２のポートからデータストリーミングを受信し、ＰＣ若しくはビデオコントロールターミナルが接続され若しくは接続可能である第１のポートへアウトプットデータストリーミングを送信する、ように構成される。
【００２４】
特に、デバイスは、ビデオカメラからデータをダウンロードするクライアントとして、及び、ビデオカメラから受信されるとＰＣ即ちビデオコントロールターミナルへデータをリアルタイムで送信するサーバとして、両方の機能を実行するように構成され、ＰＣ、若しくはビデオコントロールシステムへのアウトプットデータストリームは、単体のストリームで伝送される、音声、映像、及び／又はメタデータを含み、情報の全てを単体のファイルに格納させる。
【００２５】
好適な実施形態では、それらデータストリームは、ビデオカメラから受信される音声及び映像、並びに、パンチルトユニットの（パン、チルト、及び可能であればズームの）配置座標を含む。複数のデバイス及びインプット（上述の例では、ビデオカメラ及びパンチルトユニット）から受信される、データは、従って、インタフェースデバイスのビデオコントロール遠隔ターミナルとの通信の間に同じセッションにインタフェースデバイスにより挿入される。
【００２６】
好適な実施形態では、インタフェースデバイスは、ＲＴＳＰ（リアルタイムストリーミングプロトコル）プロトコルを用いてビデオコントロール遠隔ターミナルと通信するが、他の通信プロトコルも利用可能である。例えば、ビデオコントロールターミナルがインタフェースデバイスにて記録されて、データはＨＴＴＰプロトコルに係るアドホック接続によりそれに送信されてもよい。記録は別の方法で為されてもよく、ＷＳ−ベースノーティフィケーションスタンダード（ＷＳ−Ｂａｓｅ  Ｎｏｔｉｆｉｃａｔｉｏｎ  Ｓｔａｎｄａｒｄ）（２００６年１０月にＯＡＳＩＳにより提案されたスタンダード）に従って、若しくは、ＯＮＶＩＦによるリアルタイムプルポイントノーティフィケーションインタフェーススタンダード（Ｒｅａｌ  ｔｉｍｅ  Ｐｕｌｌ−Ｐｏｉｎｔ  Ｎｏｔｉｆｉｃａｔｉｏｎ  Ｉｎｔｅｒｆａｃｅ  Ｓｔａｎｄａｒｄ）に従って、為されるのが好ましい。
【００２７】
このことにより、ビデオカメラからＰＣへの単なるビデオ伝送に関する、更なる欠点が解決され得る。現在のビデオカメラは、ビデオを分析するアラームを生成する、若しくは、例えば、個々のフレームのタイムスタンプや送信フレームの信頼性に関する情報などのメタデータをＰＣへ送信する、ビデオコンテントアナリシス（ＶＣＡ）の機能の殆ど全てを、提供する。しかしながら、このことは、独特のデータストリームで生じるのであり、一方で、それら映像、音声、及びメタデータストリームが同じセッションで同じデバイスにより同時に送信されるように要求されることが、非常に多い。これは、映像、音声及びメタデータの記録が証拠として裁判で採用されることが多いからであり、ビデオ監視システムにより記録されるファイルから成る証拠はデータ操作に晒されてはならず晒されると記録が無効宣言される、という本質的な要求事項があるからである。音声と映像が一つのファイル内にありメタデータが別のファイル内にあり、記録システムからの抽出にはミキシングプログラムが要求される、という記録は、証拠として有効で無いと見なすという、裁判官は多数存在する。ビデオカメラを内部に組み込むパンチルトユニットは、ビデオカメラから送信される情報に、メタデータの追加のトレースを加えることができる。しかしながら、パンチルトユニットにより生成されるストリームに加えてビデオカメラからのストリームの全てを伴う、単体の転送セッションを有する必要があることから、そのような追加は複雑となり得る。本発明では、好ましくはＲＴＳＰプロトコルに従う、一種のｐｒｏｘｙを提供することにより、その問題の解決策を提示している。そのｐｒｏｘｙは、ビデオカメラからのストリームの正確なコピーは作成しないが、クライアントのためのストリーミングセッションを作成するとき、座標メタデータ（パン、チルト、ズーム）のストリーミングを加えた、ビデオカメラのストリーミング（通常は、ビデオストリーミング、オーディオストリーミング及びＶＣＡのメタデータのストリーミング）と同数のサブセッションをオープンする。よって、ｐｒｏｘｙが受信するストリームのサブセッションの全てを格納するプログラムは、同じファイル内のデータの全てを格納するという要求を既に順守していることになる。しかも、パンチルトユニット／ハウジングはビデオカメラから独立して管理されるのであるから、それらデータは全く異なるタイプの情報を含むことができる。例えば、座標を格納する機会を想定されたい。例えば、裁判で採用され得る公正な証拠に関して、記録の間に明白な因果関係によりパンチルトユニットが指し示していた方向にて、個々の瞬間に、知ることが可能であろう。
【００２８】
特に有用な実施形態によると、インタフェースデバイスは、少なくとも三つのポートを装備するネットワークスイッチを含み若しくは該ネットワークスイッチと連結し、前記三つのポートの第１と第２のものはデバイスの第１と第２のポートの各々と適合し、スイッチの第３のポートは、マイクロプロセッサ回路を介してデバイスの第３のポートと接続し、スイッチは、ネットワークを、スイッチの、第１と第３のポート間の第１のＬＡＮネットワークと第２と第３のポート間の第２のＬＡＮネットワークとに、分割することを実行するように、プログラムされている。スイッチのポートは、例えば、ＩＥＥＥ  ８０２．１ｑ  スタンダードに従うタグ付けされたタイプの二つのＶＬＡＮにより構成されてもよい。
【００２９】
ネットワークセクタで共通利用されるスイッチを用いることにより、但し、前述のようにサブネットワークに分割するよう適宜プログラムすることで、この目的のために意図された単体の電子回路内でパケットをソートしスイッチする完全な機能を実装する可能性をこのために考慮すること無しに、本発明に係るデバイスを作成するのに必要なハードウエア及びソフトウエアを縮小することが可能である。
【００３０】
ネットワークから、特に、ＶＭＳから、データパケットを受信し、それらの宛先に拠ってラベル付けする（即ち、業界用語で言うところの、それらをタグ付けする）ように、スイッチが構成されることが、好ましい。ＶＭＳは、パンチルトユニットからビデオカメラを区別しないが、その一方で、コマンドの全てを、単体のオブジェクト、つまり、単体のＩＰアドレスによりネットワーク上で識別される、インタフェースデバイスに送信する。スイッチは、二つのＶＬＡＮを実装するように構成される。ここで一つのＶＬＡＮはインタフェースデバイスと遠隔ターミナルとの間のデータパケットを管理し、もう一つのＶＬＡＮはインタフェースデバイスとビデオカメラとの間のパケットを管理する。スイッチが第１のポートにて遠隔ターミナルからコマンドを受信すると、それはそれらに第１のダグをタグ付けし、インタフェースデバイスのマイクロプロセッサ回路でのみ利用可能とし、該マイクロプロセッサ回路は逆に、データを遠隔ターミナルに送信するのに同じタグを用いる。スイッチは、マイクロプロセッサ回路から、タグ付けされたデータを受信し、ネットワークへ抜け出ると、スイッチはタグを除去する。インタフェースデバイスとビデオカメラとの間の通信のために同じ処理が為されるが、ここでは、遠隔ターミナルのために用いられるのと異なる第２のタグが用いられ、これにより、第２のポートでのみデータを利用可能とする。通常のスイッチ内にて（タグ付けされても、されなくても）データがポートを通過する間、本発明のこの実施形態では、スイッチは、パケットを見ていないポートからパケットを除去するように、構成される。従って、ビデオカメラに向けるべく意図されるデータパケットは、第１の若しくは第３のポートにて存するとき、適宜タグ付けされ若しくは除去され、一方で第２のポートにて存するとき、ビデオカメラに利用可能である。
【００３１】
一つの実施形態によると、本発明に係るインタフェースデバイスは、単体のインプット／アウトプットポートと統合されるビデオカメラ／パンチルトユニットシステムを実装するために、ビデオカメラのパンチルトユニット内に統合され及び／又は挿入される。実際にこのポートは、ネットワークを介してＰＣなどのビデオコントロールターミナルに接続する、デバイスの第１のポートであり、これにより、非常にコンパクトなシステムとなり、同時に、利用と設置の両方に関して、システムを非常にフレキシブルとする。設置のために、作業者は、パンチルトユニットを配置し、それをビデオカメラの片側に接続し、更にもう片側ではネットワークケーブルに接続するのみでよい。
【００３２】
従って、本発明は、ビデオカメラのための配置ユニットにも関し、該配置ユニットは複数のデバイス及びアクチュエータ（例えば、機械的及び電気的なもの）をコントロールするように調整されたコントロールユニットを含み、該コントロールユニットは、上記に示し及び以下によりよく記載するタイプのインタフェースデバイスを含む。従って、配置ユニットは、ビデオカメラへの接続のためのポート、及び遠隔ターミナルへの接続のためのポートを含む。
【００３３】
別の形態によると、本発明は、ビデオコントロールターミナル、前述のインタフェースデバイス及びビデオ監視ステーションを含む、ビデオコントロールシステムに関する。該ビデオ監視ステーションは、ビデオカメラ、及び該ステーションのためのローカルコントロールシステムを含む。ローカルコントロールシステムは、複数のデバイス及びアクチュエータをコントロールするコントロールユニットを含む。ターミナルはネットワークを介してデバイスの第１のポートに接続され、ビデオカメラはデバイスの第２のポートに接続され、ローカルコントロールシステムはデバイスの第３のポートに接続される。ビデオコントロールターミナルからのコマンドは、ビデオカメラのタイプ及び関連ローカルコントロールシステムに拠って、インタフェースデバイスにより、第２のポートを介してビデオカメラに送信されるコマンドと、第３のポートを介してローカルコントロールシステムに送信されるコマンドとに、分割され、ビデオカメラ／ローカルコントロールシステムの組み合わせは、ビデオコントロールターミナルにより、単体のオブジェクトとしてトランスペアレントの方法で管理される。ビデオカメラからのデータストリームに関しては、インタフェースデバイス内にダウンロード可能であり、リアルタイムでビデオコントロールターミナルに送信される。この際同じビデオストリーミング内部でメタデータを加え得る。
【００３４】
別の形態によると、本発明は、ビデオカメラ及びビデオカメラのための配置システムを含むタイプのビデオ監視ステーションをコントロールする方法に関し、ビデオ監視ステーションは、遠隔ビデオ監視ターミナルからコマンドを受信するマイクロプロセッサ回路を含み、それらコマンドはビデオカメラ及び／又はステーション配置ユニットに向けられたものである。マイクロプロセッサ回路は、物理レベル若しくは論理レベルにて分離される二つの分離したネットワークを介してビデオカメラ及び遠隔ターミナルと通信し、これにより、マイクロプロセッサ回路のみが、第１のポートと接続する遠隔ターミナルから受信するデータを、第２のポートに接続するビデオカメラ、若しくは第３のポートに接続する配置ユニットに送信できるし、また、その逆も可能であるが、一方で、前記第１のポートに接続する遠隔ターミナルは、前記第２のポートに接続するビデオカメラ、若しくは前記第３のポートに接続する配置ユニットと通信をすることができない。
【００３５】
この解決策は、どのタイプのパンチルトユニット若しくはビデオカメラがコマンドを実行しなければならないものかを知らずとも、遠隔ターミナルが安全な状況でコマンドを送信できる、という利点を提供する。ビデオカメラは隠蔽され、遠隔ターミナルに到達され得るものではなくなる。インタフェースデバイスは「ファイヤウオール」として動作し、ネットワークを介して為される攻撃からビデオカメラを保護する。
【００３６】
インタフェースデバイスのマイクロプロセッサ回路は、二つの分離したネットワークセグメントを介して、特に、二つのネットワークカードにより、遠隔ターミナル及びビデオカメラと通信してもよい。
【００３７】
好適な実装によると、マイクロプロセッサ回路（７０３）は、
ビデオカメラ（１）からビデオデータストリーミングを受信し、
前記データストリーミングにメタデータの更なるストリームを追加し、ここで前記更なるストリームはビデオ監視ステーションの内部にある、ビデオカメラとは異なるソースから生じるものであり、
データストリーミングを、遠隔ターミナル（４）に送信し、ここで前記データストリーミングは前記メタデータ及び、ビデオカメラから受信された前記ビデオデータを含み、これにより、ビデオデータ及びメタデータを単体のファイル内に格納させるものである。
【００３８】
メタデータは配置ユニットの配置座標を含み、前記座標はマイクロプロセッサ回路が前記配置ユニットのコントロールユニットを取り調べることにより取得されてもよい。
【図面の簡単な説明】
【００３９】
【図１】図１は、概略、先行技術に係る、頂部にビデオカメラを伴うパンチルトユニットである。
【図２】図２は、図１と同じパンチルトユニット／ビデオカメラシステムであるが、本発明に係るデバイスとインタフェースするものである。
【図３】図３は、本発明に係るビデオコントロールシステムのブロック図である。
【図４】図４は、インタフェースデバイスに関するより詳細を伴う、図３と同じシステムである。
【図５】図５は、２台のビデオカメラがインストールされた、図３のビデオコントロールシステムのブロック図である。
【発明を実施するための形態】
【００４０】
部門の用語と一貫させて、以下の本明細書では、「パンチルトユニット」により、デバイス、特にビデオカメラの配置のためのユニットを表すものとし、該デバイス、特にビデオカメラは電子的に制御可能な機械的手段を備えるものであり、これにより、遠隔ユーザは設定されたデバイスの少なくとも配置（パン及びチルト）をコントロールして変更できる。
【００４１】
図１は、概略、アナログタイプのパンチルトユニット／ビデオカメラの組み合わせを示す。この組み合わせは、環境をモニタするのに用いられ得るビデオ監視ステーションの例である。
【００４２】
パンチルトユニットの頂部に搭載されるビデオカメラ１は、モニタ若しくはビデオレコーダ（図示せず）が接続され得る同軸ケーブル１０１上にアウトプットを有する。パンチルトユニット２は、符号１０２で示されるケーブルで表されるインプットを有する。実際には、それは、キーパッド（図示せず）により送信されるテレメトリコマンドがデバイスを移動するためにシリアルにパスする銅ねじれペアケーブルである。他のタイプのシリアルインタフェース、例えば、古典的なＲＳ２３２も用いられ得るが、最も用いられるシリアル通信はＲＳ４８５である。
【００４３】
ビデオ監視ステーションの別の例は、パンチルトユニットを伴うことも伴わないこともある、保護ハウジング内にフィットするビデオカメラにより、表され得る。この場合、ハウジングのローカルコントロールシステムは、ワイパ、ワッシャポンプ、照明器、加熱システム、冷却システム、改ざん対策システム、ガラスのための曇り除去ファンなどの、関連する関連設備付属品を管理するように調整されている。
【００４４】
従って、概略、ビデオ監視ステーションは、ビデオカメラと、パンチルトユニットであってもよい、機械化された配置ユニットである配置ユニットとを含み、又は、より簡素に、ハウジング、若しくは、例えば、ランプなどのデバイスが接続される若しくは接続され得る一つのみのブラケットを含む。
【００４５】
以下の発明は、ビデオ監視ステーションがビデオカメラとパンチルトユニットとを含む好適な実施形態を参照して記載されるが、例えば、上述のタイプの、異なるビデオ監視ステーションに適用され得る。
【００４６】
図２は、図１と同じパンチルトユニット／ビデオカメラの組み合わせを含むビデオ監視ステーションを示すが、概略、本発明に係るインタフェースデバイスである更なる要素３を伴う。実際には、これは、ビデオカメラ１及びパンチルトユニット２とインタフェースする電子回路であり、該電子回路により、外部環境、特にビデオ管理システムと、ネットワーク１０３、通常はＩＰネットワークを介して、データ交換を為し得る。テレメンタリコントロールを伴うエンコーダとは異なり、デバイス３は、ネットワーク２０３を介していわゆるＩＰビデオカメラ１とインタフェースして、カメラ／パンチルトユニットの組み合わせを、ドームカメラと同様に、ビデオマネジメントソフトウエアに対して完全にトランペアレントとすることができる。
【００４７】
インタフェースデバイス３は、ネットワーク３０３を介してパンチルトユニット２とインタフェースする。即ち、インタフェースデバイス３により、ビデオマネジメントソフトウエアは、言わば単一のＩＰアドレスにより識別される単一のオブジェクトとして、ネットワーク１０３を介して、ビデオ監視ステーションと通信する。これにより、アナログのパンチルトユニットの利点をデジタルカメラの利点と組み合わせることができ、利用と設定の最高級のフレキシビリティを実現できる。
【００４８】
図３は、ビデオコントロールシステムのブロック図を示す。デバイス３は、ポート４０３を介し更にネットワーク接続１０３を経由して遠隔ターミナル４とインタフェースする。ターミナル４は、ビデオマネジメントシステム（ＶＭＳ）であり、通常、遠隔カメラのコントロール及びディスプレイプログラムが稼働するパーソナルコンピュータ（ＰＣ）である。ターミナル４とデバイス３間の接続は、例えば、ＬＡＮ若しくはＷＡＮネットワーム、又はそれらの組み合わせによる、ネットワーク接続である。ネットワークサポートはどんなタイプでもよい。通常、それは有線のイーサネット（登録商標）ネットワークであるが、例えば、ＷｉＦｉ、Ｂｌｕｅｔｏｏｔｈ（登録商標）、ＧＰＲＳ、ＵＭＴＳ、又はケーブル／無線の組み合わせなどの、無線接続も可能である。データ交換ネットワークプロトコルは通常、ＴＣＩ／ＩＰタイプであるが、この理由のために本発明の内容を変更すること無く、明らかに、ＩＰＸ／ＳＰＸ、Ｎｏｖｅｌｌ／Ｎｅｔｗａｒｅ、ＡｐｐｌｅＴａｌｋ、ＤＬＣ／ＬＬＣなどの他のプロトコルが用いられてもよい。ターミナル４とデバイス３間のネットワークデータ交換は、専用タイプのものでもよいし、及び／又は、アドホックのプロトコルで適宜開発されてもよい。鉄道アプリケーションの場合などに、適切なフィルタを伴う電線でもよいネットワークバックボーンに、同じことが適用される。ターミナル４が遠隔であり、インターネットネットワークがデバイス３のポート４０３に到達すべく用いられるときが、特に有用な状況である。
【００４９】
カメラ１とのインタフェースに関しては、これは、ポート５０３を介するネットワークであればよい。ネットワークを介してインタフェースするカメラは通常ＩＰと称される。ＩＰプロトコルに従わないカメラを接続する可能性も排除されるのは、明白である。ネットワークは、前述のもののように、同じタイプでもよいし、異なるタイプでもよい。通常、それはＲＪ４５ケーブル上のイーサネット（登録商標）接続であるが、明らかに、例えば、無線タイプの他の接続も可能である。ケーブルによる接続は、デバイス３がパンチルトユニット内に若しくはハウジング内に、従ってビデオカメラ近傍に、挿入される特定の有利な場合に、とりわけ好ましい。
【００５０】
パンチルトユニット２とのインタフェースは、シリアルタイプのものであり、通常ＲＳ４８５である。例えば、古典的なＲＳ２３２などの、他のタイプのシリアルインタフェースも用いることができることは明白である。
【００５１】
パンチルトユニット２はブロック２で示される。パンチルトユニットは、例えば、パンチルトユニット自身を移動するための、及びビデオカメラを配置するための、一つ以上のデバイス及びアクチュエータ２０２をコントロールするローカルコントロールユニット３０２を含む。それらデバイス及びアクチュエータは全く異なるタイプのものでもよい。例えば、それらは、テレメタリシステム、電動フォーカス、ハウジング及び関連設備付属品、ワイパ、照明器、加熱システム、冷却システム、アラーム、ガラスのための曇り除去ファンなどを、含むことができる。
【００５２】
ローカルコントロールユニット３０２及びアクチュエータ２０２は、従ってビデオ監視ステーションのローカルコントロールシステム、即ちステーションの複数のデバイス（例えば、ワイパ、ギア、ファン、レジスタなど）をローカルにコントロールするシステムの、一部である。
【００５３】
インタフェースデバイスの複数のポート間の通信は、プロセッサを含む、符号７０３により示される回路により制御される。該回路は、最も簡素な直接にプログラム可能なマイクロプロセッサから、プログラムとデータの両方を収容することを意図されたＲＡＭ、ＲＯＭ、ＥＰＲＯＭ、ＥＥＰＲＯＭ、ＦＬＡＳＨなどの、外部記憶媒体を要求する最も複雑なマイクロプロセッサまで、想定され得る。プロセッサにより実行されるコントロールプログラムは、概略、符号８０３により示される。
【００５４】
図４は、本発明の特に好適な実施形態である。マイクロプロセッサ回路７０３は、三つのポート４０３、２０５、５０３によりスイッチ５とインタフェースする。ポート４０３とポート４０５間の第１のＶＬＡＮネットワーク、及び、ポート５０３とポート２０５間の第２のＶＬＡＮネットワーク内の、ネットワークの分割を操作するようにスイッチ５をプログラミングすることにより、ターミナル４及びカメラ１が夫々接続するデバイス３のポートとして、上記ポート４０３及び５０３を直接に用いることが可能である。一方で、スイッチ５のポート２０５は、交換されるパケットに関する適宜の処理を操作する回路７０３と直接にインタフェースする。
【００５５】
特に、スイッチのポート５０３は、ビデオカメラ１から来るパケット２０３”を識別すべく機能するＶＬＡＮタグを自動挿入し、ビデオカメラ１に向けられるパケット２０３’からＶＬＡＮタグを除去するように構成されている。このタグ操作は、符号６０５と７０５により図４に概略示される。同様に、スイッチ５のポート４０３は、ターミナル４から来るパケット１０３”を識別すべく機能する別のＶＬＡＮタグ（４０５）を自動挿入し、ターミナル４に向けられるパケット１０３’からＶＬＡＮタグ（５０５）を除去するように構成されている。
【００５６】
スイッチ５のポート２０５は、パケットを、ポート４０３及び５０３からマイクロプロセッサ７０３まで、並びにその逆に、通過させる。回路はパケット上に介入し、接続するデバイスに対してトランスペアレントに適宜のポートにコマンド／ステートを送信するなどの、ターゲット、及びパケットのタイプに依存して、タグ内の及び／又はパケット内の変更を操作する。
【００５７】
スイッチ５により自動的にタグを挿入し除去するメカニズム、及び、タグ付けされたパケットは関連ポート４０３、５０３によってのみ見られ得るという事実を、利用することにより、二つの部分へのネットワークの分割が得られ、ビデオカメラはＰＣ４に完全に隠匿され、パンチルトユニット＋ビデオカメラの組み合わせは単体オブジェクトとして立ち現れる。
【００５８】
通常はプリント回路基板である、マイクロプロセッサは、スイッチ５がプログラムされず且つ基板がスイッチオフで維持されるスイッチデバイスを有するのが、好ましい。このスイッチデバイスを操作することにより、スイッチは通常のネットワークスイッチのように振る舞い、それは、遠隔ターミナル４から若しくはビデオカメラ１から受信されるパケットに対するタグ付け操作、及び、そのポートにおいてタグ付けされるパケットを管理する操作を、もはや管理しない。このことにより、遠隔ターミナルはビデオカメラと直接に会話できる。
【００５９】
従って、マイクロプロセッサ回路は、第１のポートを介して受信されるコマンドをネットワークから第２の及び／又は第３のポートへ転送して変換するように構成されており、このことは、ビデオカメラタイプ、及び上記ポートに接続する若しくは接続すべきローカルコントロールシステムのタイプに、依存するものである。
【００６０】
操作は以下のようにまとめられる。デバイスは、三つの物理インタフェースを有する。スイッチ５により取得される二つのネットワークインタフェース４０３、５０３と、デバイスがパンチルトユニット２と、特にパンチルトユニットのコントロールシステムと通信する手段とするシリアルインタフェース６０３と、である。ポート４０３上でＰＣ４により受信されるコマンドは、プロセッサ上で稼働するソフトウエア８０３により分析され、パンチルトユニット２、及び／又はビデオカメラ１に送信される。上述のように、インタフェースデバイスは、ビデオ監視ステーションを単体のオブジェクトとして登場させ、よって、ＰＣ４は、コマンドの現実のターゲットであるオブジェクト間で区別すること無くコントロールコマンドを送信する。インタフェースデバイスの目的は、受信したコマンドを解釈し、それらをターゲットデバイスに送信することである。コマンド、例えば、鉛直軸での回転は、全てパンチルトユニットにより制御されねばならず、例えば、ビデオストリーミングの要求は、例えば、完全にカメラにより制御されねばならない、ということが生じ得る。しかしながら、ＰＣから生じ得るコマンドの多くは、要求される機能が適切なコマンドを生成することにより実装されるべきであることを要求するのであり、それらコマンドのうちにはビデオカメラに送信されるものもありパンチルトユニットに送信されるものもある。例えば、ＰＣからのコマンドは二つのコマンドに分割されてパンチルトユニットに供給し、二つのコマンドをビデオカメラに供給することが、可能である。
【００６１】
コマンドを分割する操作は、インストールされるビデオカメラのタイプに基づいて生じる。フォーカスが電動化される場合、ズームを動かすコマンドをパンチルトユニットに送信することが必要であり、一方、ズームがビデオカメラ内に統合されるならば、コマンドはカメラ自身に送信されることになる。
【００６２】
プロトコルコンバージョン操作は、パンチルトユニットのためのコマンドとカメラのためのコマンドとへの、ＰＣにより要求される分割機能のダウンストリームにより、関連パケットを関連インタフェースへ発する前に、発生する。
【００６３】
ビデオカメラへの／からのコマンド／ステートは、例えば（但し限定されるものではないが）、ＯＮＶＩＦ若しくはＰＳＩＡなどのＩＰプロトコルに従い、コントロール及び／又はコマンドシステムへの／からの、特にパンチルトユニットへの、コマンド／ステートは、例えば（但し限定されるものではないが）、ＭＡＣＲＯ若しくはＰＥＬＣＯ“Ｄ”等のシリアルプロトコルに従うのが、好ましい。このようにすることにより、標準的なコントロール及び／又はコマンドシステム並びにビデオカメラが、利用されるべきマーケットで一般的に入手可能となる。制御すべきリソースをより最適化するために、専用プロトコルを提供して用いることも可能であることが明らかである。
【００６４】
アナログのパンチルトユニットにのみ典型的なフレキシビリティを保証し続けるように、インストールされたビデオカメラ及びフォーカスは変化する際に、デバイスにより全ての要求されたケースが管理され得る、というように、デバイスはプログラム可能である。
【００６５】
コマンドを制御しトランスレートするソフトウエアに加えて、簡素化の理由からｒｔｓｐ＿ｐｒｏｘｙと称される、デバイスの回路のプロセッサにより実行される別のプログラムがある。ビデオカメラは、ＰＣ（最も一般的なケースではビデオコントロールターミナル）から分離されたネットワーク内で存続するので、ビデオカメラからビデオストリームを捉えそれを要求するＰＣに送信するべく、ソフトウエアコンポーネントがチャージされることが、必要である。従って、このソフトウエアは、同時に、ビデオカメラからビデオをダウンロードするＲＴＳＰクラインアント（ＲＴＳＰはネットワーク上のビデオストリーミングに用いられるプロトコルであり、いわゆるＲＴＰｓのサブセッションで構成される）、及び、ビデオカメラ自身からビデオが受信されるとリアルタイムでＰＣに送信するＲＴＳＰサーバである。
【００６６】
ｒｔｓｐ＿ｐｒｏｘｙは、ビデオカメラストリーミングの実際のコピーを作成しないが、それがクライアント（この場合、ターミナル４）のためのストリーミングセッションを作成するとき、それは、ビデオカメラのサブセッション（ビデオサブセッション、オーディオサブセッション、及びＶＣＡのメタデータのサブセッションであることが多い）と同じくらい多くサブセッションと、座標メタデータ（パン、チルト、ズーム）の一つを加えて、オープンする。言い換えれば、ｒｔｓｐ＿ｐｒｏｘｙは、遠隔ターミナル４とのＲＴＳＴ通信セッションを形成するが、該セッションは、ｒｔｓｐ＿ｐｒｏｘｙとビデオカメラ１との間の通信で設けられるサブセッションの全てを含み（特に、ビデオサブセッションとオーディオサブセッションを含み）、加えて、パンチルトユニット２の配置座標（パン、チルト、及び、電動フォーカスが設けられれば、ズーム）を転送する少なくとも一つのセッションを含む。
【００６７】
別途の実施形態では、ｒｔｓｐ＿ｐｒｏｘｙは、ｒｔｓｐ＿ｐｒｏｘｙとビデオカメラ１との間の通信セッションで設けられるサブセッションのうちの一部のみを、選択して遠隔ターミナル４へ転送するが、このことは、ある場合には、転送を最適化し得る。
【００６８】
よって、遠隔ターミナル４が受信するストリームのサブセッションの全てを格納するプログラムは、同じファイル内でデータの全てを格納するという要求に合致する。このことは、国土安全保障の分野で非常に重要な問題である。
【００６９】
このことにより、非常にコンパクトに且つ容易に古いコンセプトのパンチルトユニットに統合されることになり、これにより、システムはＰＣとビデオカメラとの間のプロトコルトランスレータとして動作でき、パンチルトユニットとビデオカメラとの間でビデオカメラとレンズのタイプに拠ってコマンドを分割することで先進的にコマンドを制御し、更に、ｒｔｓｐ＿ｐｒｏｘｙにより、固定カメラのオーディオ／ビデオ／メタデータストリームを座標を伴う更なるストリームのメタデータと加えることができる。この追加により
危険な裁判の証拠として記録を受け入れることにはならない。
【００７０】
限定的で無い例として、メタデータのそのような更なるストリームは、一つ以上の以下の情報を含む。タイムスタンプ、フレーム信頼性情報、座標、ビデオコンテント分析データ、テレメタリデータ、パンチルトユニット及び／又はハウジングへ関連された設備付属品の状態などである。更なるタイプのメタデータを含むことも可能であることは、明白である。勿論これにより、本発明の範囲が変更することは無い。
【００７１】
特に有利な実施形態では、マイクロプロセッサ７０３は、ポート５０３を介してビデオカメラ１からデータストリームを受信する。それらデータストリームは、ビデオカメラ自身により為される分析（分析論）としてオーディオ及び／又はビデオ及び／又はメタデータを含む。インタフェースデバイスとビデオカメラとの間で交換されるデータパケットは、適切なＶＬＡＮタグでタグ付けされ、これにより、データパケットは、スイッチ５のポート４０３にて見えなくなる。
【００７２】
マイクロプロセッサ７０３は、シリアルポート６０３を介して、パンチルトユニット２のローカルコントロールシステムを取り調べる。それは、パンチルトユニットの配置の座標を要求し、特に、パンチルトデータ、更に、パンチルトユニットに電動フォーカスが設けられていれば、ズームも、要求する。インタフェースデバイス３とパンチルトユニット２との間で交換されるデータパケットは、ポート６０３を介してシリアルで交換される。
【００７３】
ポート５０３及び６０３を介して受信されたデータは、インタフェースデバイス３のストレージエリア内に一時的に格納され、遠隔ターミナル４に転送される前に、再び処理され得る。
【００７４】
従って、マイクロプロセッサ回路７０３は、遠隔ターム成る４に対してＲＴＳＰセッションを開始する。その通信セッションは、上記のように、複数のサブセッションを含み、それらは、（ビデオカメラ１から生じるオーディオデータの転送のための）オーディオサブセッション、（ビデオカメラ１から生じるビデオデータの転送のための）ビデオサブセッション、（パンチルトユニット２から受信される座標の転送のための）座標サブセッション、及びビデオカメラの分析データ（分析論）のためのサブセッションである。インタフェースデバイス３から遠隔ターミナル４へ転送されるデータストリームは、ビデオカメラ１から受信され監視サービスに有用な全てのデータ、特に（例えば、ビデオフレーム上で高輝度オブジェクトに配置されるボックスなどの）全てのオーディオ、ビデオ、及びイベント分析データを、必須では無いが、好適に含む。
【００７５】
この通信セッションのデータパッケージは適切にタグ付けされ、スイッチは、ポート４０３の出口でのみデータを可視的にする。ネットワーク１０３における物理的転送の前に、スイッチ５は、マイクロプロセッサ７０３により生成されるパケットのタグを除去する。
【００７６】
図５は、図３と同じビデオコントロールシステムを示すが、第２のビデオカメラ１ａがインストールされている。このために、インタフェースデバイス３は、ビデオカメラ１ａが符号２０３ａで示されるケーブルによりネットワークを介して接続される更なるポート５０３ａを、有する。この接続は、ビデオカメラ１に対するものと同様のどのタイプでもよく、即ち、無線タイプでもよい。
【００７７】
この利用例は、二つのシナリオで特に有用である。例えば、フレーム化されたシーンのより強いピクチャを提供するために、サーマルビデオカメラを従来のＩＰカメラに連結することが可能である。なぜなら、従来のビデオカメラは可視的なディテールを転送可能であり、一方でサーマルＩＰビデオカメラは、例えば、霧などの厄介な気象状況に煩わされることがないフレームを提供するからである。第２の利用例のシナリオは、シーンの三次元再構築をするために、３Ｄ可視利用例のための二つの可視ビデオカメラを利用することにより、提供される。ｒｔｓｐ＿ｐｒｏｘｙの利用によって、一つ以上のオーディオ／ビデオセッションを伴う単一のストリームによるもののみである。
【００７８】
この場合、第２のビデオカメラへ接続し得る更なるポートを有する必要があるスイッチを第２の実施形態でも用いることができるのが、特に好適である。操作は完全に類似しており、従前に見た、ポート間でパケットを分割するメカニズムに基づくものである。スイッチのポート５０３ａも、ＶＬＡＮタグを自動的に挿入するように構成されるが、他とは異なり、ビデオカメラ１ａから生じるパケットを識別すべく機能しビデオカメラ１ａに向けられたパケットのＶＬＡＮタグを除去する。スイッチによりタグを自動的に挿入し除去するメカニズムを利用し、更に、タグ付けされたパケットが関連するポートのみに可視となることで、ネットワークの三つの部分（ＶＬＡＮビデオカメラ１、ＶＬＡＮビデオカメラ１ａ、ＶＬＡＮ遠隔ターミナル４）への物理的分割が取得され、ビデオカメラはビデオコントロールシステムへ完全に隠蔽され、よって、ビデオ監視ステーションは単体のオブジェクトのように見えることになる。
【００７９】
ビデオ監視ステーションのデータを転送するために、インタフェースデバイス３は、遠隔ターミナル４との通信セッションを、好ましくはＲＳＴＰプロトコルに従って、開始する。そのセッションは、ビデオカメラ１ａから生じるビデオデータ、ビデオカメラ１から生じるビデオデータ、及びパンチルトユニット２から生じる座標を含む、サブセッションを含む。
【００８０】
本発明は、前記に記載され示された実施形態に限定されないこと明白であるが、とりわけ構築の観点から広範に変更し得る。例えば、ワイパ、照明器、ハウジング内の加熱システム、若しくは他の設備付属品をＩＰを介してコントロール可能とすることで、アナログからデジタルテレメンタリへ古いハウジングの変換を操作するために、本発明に係るデバイスを用いることが可能である。更に、同一の若しくは異なるビデオ監視ステーション内部で、複数のビデオカメラ及び関連するローカルコントロールシステムに接続するための、より多数のポートを有するインタフェースデバイスを提供することも可能である。
【００８１】
インタフェースデバイスに接続し得るパンチルトユニット及び／又はビデオカメラの数は、インタフェースデバイスに適切な数のポートを設けることにより、適宜変更され得る。
【００８２】
前述の好適な実施形態では、インタフェースデバイスは、ＲＴＳＰプロトコル（リアルタイムストリーミングプロトコル）を用いて、ビデオ遠隔コントロールターミナルと通信し、ｐｒｏｘｙ＿ｒｔｓｐのように振る舞うが、本発明が、ＲＴＳＰ通信プロトコルの利用に限定されるものではなく、他の通信プロトコルも用いられ得ることは、明白である。例えば、ビデオコントロールターミナル４は。インタフェースデバイス３にて記録され得、ｈｔｔｐプロトコルに係るアドホックの通信により、データ（例えば、ビデオカメラ１のビデオ及びパンチルトユニット２の座標）はそれ（ビデオ遠隔コントロールターミナル）に送信され得る。記録は、複数の方法で為され得るが、（２００６年１０月にＯＡＳＩＳにより提案された）ＷＳ−ベースノーティフィケーションスタンダード（ＷＳ−Ｂａｓｅ  Ｎｏｔｉｆｉｃａｔｉｏｎ  Ｓｔａｎｄａｒｄ）に従って、若しくは、ＯＮＶＩＦによるリアルタイムプルポイントノーティフィケーションインタフェーススタンダード（Ｒｅａｌ  ｔｉｍｅ  Ｐｕｌｌ−Ｐｏｉｎｔ  Ｎｏｔｉｆｉｃａｔｉｏｎ  Ｉｎｔｅｒｆａｃｅ  Ｓｔａｎｄａｒｄ）に従って、為されるのが好ましい。
【００８３】
所望で無くても、ビデオカメラから生じるビデオストリームを、パンチルトユニットの配置の座標などの、他のソースからのメタデータで濃縮することは、省略し得る。
【００８４】
逆に、ビデオストリームを濃縮するそのような機能は維持可能であるが、遠隔コントロールターミナル４及びビデオカメラ１と通信するための、インタフェースデバイスにより用いられる、ネットワークの（物理的若しくは論理的）分割は、省略されてもよい。この場合、インタフェースデバイスの利点の一部は失われるが、他のものは維持され得る。
【００８５】
従って、一般的実施形態では、インタフェースデバイスは、ネットワークを介して遠隔ターミナルに接続するための第１のポートと、ビデオカメラに接続するための第２のポートと、ビデオカメラ配置ユニットに接続するための第３のポートと、前記第１のポート、前記第２のポート及び前記第３のポートと操作自在に接続して遠隔ターミナルから受信されるコマンドを第１のポートを介して第２及び／又は第３のポートへ伝送し可能であれば変換するマイクロプロセッサとを、含む。
【００８６】
マイクロプロセッサ回路は、物理レベル若しくは論理レベルにて分離される二つのネットワークを介してビデオカメラ及び遠隔ターミナルと通信するように構成され、これにより、マイクロプロセッサ回路のみが、第１のポートと接続する遠隔ターミナルから受信するデータを、第２のポートに接続するビデオカメラ、若しくは第３のポートに接続する配置ユニットに送信できるし、また、その逆も可能であるが、一方で、前記第１のポートに接続する遠隔ターミナルは、前記第２のポートに接続するビデオカメラ、若しくは前記第３のポートに接続する配置ユニットと通信をすることができない。
【００８７】
二つのネットワークが物理的分離にされ、インタフェースデバイスのマイクロプロセッサ回路が二つの分離されたネットワークカードを含み、前記ネットワークカードの各々が前記第１と前記第２のポートのうちの一つと接続して、前記二つのネットワーク上で通信することが好ましい。
【００８８】
一つの実施形態では、インタフェースデバイスの第３のポートが配置ユニットと接続するためのシリアルポートであり、従って、インタフェースデバイスが、前記第１のポート上でデジタルデータを受信し、前記配置ユニットに向けられたコマンドを抽出し、前記抽出されたコマンドのアナログコマンドへの変換を操作し、更に、前記アナログコマンドをシリアルポートを介して前記配置ユニットへ伝送するように、構成されている。
【００８９】
デバイスの第１のポートが、第１のＬＡＮネットワークと接続し、例えば、遠隔コントロールＰＣとインタフェースし、第２のポートが、第２のＬＡＮネットワークと接続し、例えば、ＩＰビデオカメラとインタフェースするときは、第１のＬＡＮネットワークと第２のＬＡＮネットワークは相互に物理的に分離され、二つのネットワーク間のデータ交換はインタフェースデバイスのマイクロプロセッサ回路により発生することが、好ましい。
【００９０】
別の実施形態では、インタフェースデバイスは、少なくとも三つのポートを装備するネットワークスイッチを含み若しくは該ネットワークスイッチと連結し、前記三つのポートの第１と第２のものはインタフェースデバイスの第１と第２のポートの各々と適合し、スイッチの第３のポートは、マイクロプロセッサ回路を介してインタフェースデバイスの第３のポートと接続し、スイッチは、ネットワークを、スイッチの、第１と第３のポート間の第１のＬＡＮネットワークと第２と第３のポート間の第２のＬＡＮネットワークとに、分割する操作をするように、プログラムされている。
【００９１】
スイッチを設けるこの実施形態では、スイッチの第２のポートは、ビデオカメラから生じるパケットを識別するべく機能するＶＬＡＮタグを自動挿入し、ビデオカメラに向けられたパケットからＶＬＡＮタグを除去するように、構成されている。一方で、スイッチの第１のポートは、ＰＣから生じるパケットを識別するべく機能するＶＬＡＮタグを自動挿入し、ＰＣに向けられたパケットからＶＬＡＮタグを除去するように、構成されている。二つのポートのＶＬＡＮタグは異なるものである。スイッチの第３のポートはトランスペアレントであり第１及び第２のポートからマイクロプロセッサ回路に向かって、及びその逆に、パケットを通過させる。マイクロプロセッサ回路は、ターゲット及びパケットのタイプに拠ってタグ及び／又はパケットの変化を操作し、これにより、適切なポートへのデータパケットを、トランスペアレントに、接続するデバイスに向かわせる。
【００９２】
スイッチの第１と第２のポートは、所定のＶＬＡＮタグを伴うデータパケットを受け入れ、所定のＶＬＡＮタグとは異なるＶＬＡＮタグを有するデータパケットをカットするように、構成されるのが好ましい。
【００９３】
一つの実施形態では、インタフェースデバイスのマイクロプロセッサ回路は、
ビデオカメラが接続される若しくは接続可能な第２のポートからビデオデータストリーミングを受信し、
前記データストリーミングにメタデータの更なるストリームを追加し、ここで前記更なるストリームは前記第２のポートとは異なるインプットを介してマイクロプロセッサ回路により受信されるものであり、
出力データストリーミングを、遠隔ターミナルが接続される若しくは接続可能な第１のポートに送信し、ここで前記出力データストリーミングは前記メタデータ及び、第２のポートから受信されたビデオデータを含み、これにより、ビデオデータ及びメタデータを単体のファイル内に格納させるものである、
ように構成されている。
【００９４】
一つの実施形態では、メタデータの更なるストリームは、タイムスタンプ、フレーム信頼性情報、座標、ビデオコンテント分析データ、テレメタリデータ、パンチルトユニットへ関連された設備付属品の状態、及びハウジングへ関連された設備付属品の状態、から成るグループから選択可能な一つ以上の要素を含む。
【００９５】
一つの実施形態では、ビデオカメラから生じるビデオストリームに加えられるメタデータは、ビデオカメラとは異なるソースから取得され、特にそれらは、インタフェースデバイスに接続する配置ユニットの配置座標（パンチルト）を含むことができる。それら座標は、それら配置ユニット（２）のコントロールユニットを取り調べることにより取得される。
【００９６】
一つの実施形態では、インタフェースデバイスは、前記第２のポートを介してビデオカメラからデータをダウンロードするクライアント機能、特に、ＲＴＳＰクライアントと、第１のポートを介して遠隔ターミナルへデータを好ましくはリアルタイムで送信するサーバ機能、特にＲＴＳＰサーバとの両方を実行するように構成され、遠隔ターミナルへのアウトプットデータストリームは、単体のファイルに格納されるように単体のストリームで伝送される、映像、音声、及び配置ユニットの配置座標を、含む。
【符号の説明】
【００９７】
１・・・ビデオカメラ、２・・・パンチルトユニット（配置ユニット）、３・・・インタフェースデバイス、４・・・遠隔ターミナル、１０３、２０２、３０３・・・ネットワーク、３０２・・・ローカルコントロールユニット、４０３、５０３、６０３・・・ポート、７０３・・・マイクロプロセッサ回路。
【図１】
2015511803.tif 000003
【図２】
2015511803.tif 000004
【図３】
2015511803.tif 000005
【図４】
2015511803.tif 000006
【図５】
2015511803.tif 000007
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
ビデオカメラ（１）と該ビデオカメラ（１）のための配置ユニット（２）とを含むタイプのビデオ監視ステーションのためのインタフェースデバイス（３）であって、
前記インタフェースデバイス（３）は、
ネットワーク（１０３）を介して遠隔ターミナル（４）へ接続する第１のポート（４０３）と、
ビデオカメラ（１）に接続する第２のポート（５０３）と、
ビデオカメラ（１）のための配置ユニット（２）に接続する第３のポート（６０３）と、
前記第１のポート（４０３）、前記第２のポート（５０３）及び前記第３のポート（６０３）と操作自在に接続して遠隔ターミナルから受信されるコマンドを第１のポート（４０３）を介して第２のポート（５０３）及び／又は第３のポート（６０３）へ伝送し可能であれば変換するマイクロプロセッサ回路（７０３）とを、含み、
前記マイクロプロセッサ回路（７０３）は、物理レベル若しくは論理レベルにて分離される二つのネットワーク（１０３、２０３）を介してビデオカメラ（１）及び遠隔ターミナル（４）と通信するように構成され、これにより、マイクロプロセッサ回路（７０３）のみが、第１のポート（４０３）と接続する遠隔ターミナル（４）から受信するデータを、第２のポート（５０３）に接続するビデオカメラ（１）、若しくは第３のポート（６０３）に接続する配置ユニット（２）に送信できるし、また、その逆も可能であるが、一方で、前記第１のポート（４０３）に接続する遠隔ターミナル（４）は、前記第２のポート（５０３）に接続するビデオカメラ（１）、若しくは前記第３のポートに接続する配置ユニット（２）と通信をすることができない
インタフェースデバイス（３）。
【請求項２】
二つのネットワークが物理的分離にされ、マイクロプロセッサ回路（７０３）が二つの分離されたネットワークカードを含み、前記二つのネットワークカードの各々が前記第１と前記第２のポートのうちの一つと操作自在に接続して、前記二つのネットワーク上で通信する
請求項１に記載のデバイス。
【請求項３】
第３のポート（６０３）が配置ユニット（２）と接続するためのシリアルポートであり、インタフェースデバイスが、前記第１のポート（４０３）上でデジタルデータを受信し、前記配置ユニットに向けられたコマンドを抽出し、前記抽出されたコマンドのアナログコマンドへの変換を行い、更に、前記アナログコマンドをシリアルポートを介して前記配置ユニット（２）へ伝送する
請求項１又は２に記載のデバイス。
【請求項４】
デバイスの第１のポート（４０３）が、第１のＬＡＮネットワーク（１０３）と接続し、例えば、遠隔コントロールＰＣ（４）とインタフェースし、第２のポート（５０３）が、第２のＬＡＮネットワーク（２０３）と接続し、例えば、ＩＰビデオカメラ（１）とインタフェースするときは、第１のＬＡＮネットワーク（１０３）と第２のＬＡＮネットワーク（２０３）は相互に物理的に分離され、二つのネットワーク間のデータ交換はマイクロプロセッサ回路（７０３）により発生する
請求項１から３のうちのいずれか一に記載のデバイス。
【請求項５】
少なくとも三つのポートを装備するネットワークスイッチ（５）を含み若しくは該ネットワークスイッチ（５）と連結し、前記三つのポートの第１と第２のものはインタフェースデバイス（３）の第１（４０３）と第２のポート（５０３）の各々と適合し、スイッチ（５）の第３のポート（２０５）は、マイクロプロセッサ回路（７０３）を介してインタフェースデバイス（３）の第３のポート（６０３）と接続し、スイッチ（５）は、ネットワークを、スイッチ（５）の、第１（４０３）と第３のポート（２０５）間の第１のＬＡＮネットワークと第２（５０３）と第３のポート（２０５）間の第２のＬＡＮネットワークとに、分割することを実行するように、プログラムされている
請求項１から４のうちのいずれか一に記載のデバイス。
【請求項６】
スイッチ（５）のポートが、ＩＥＥＥ  ８０２．１ｑ  スタンダードに従うタグ付けされたタイプの二つのＶＬＡＮにより構成されている
請求項５に記載のデバイス。
【請求項７】
スイッチ（５）の第２のポート（５０３）は、ビデオカメラ（１）から生じるパケットを識別するべく機能するＶＬＡＮタグ（６０５）を自動挿入し、ビデオカメラ（１）に向けられたパケットからＶＬＡＮタグ（７０５）を除去するように、構成されており、一方で、スイッチ（５）の第１のポート（４０３）は、ＰＣ（４）から生じるパケットを識別するべく機能するＶＬＡＮタグ（４０５）を自動挿入し、ＰＣ（４）に向けられたパケットからＶＬＡＮタグ（５０５）を除去するように、構成されており、二つのポートのＶＬＡＮタグは異なるものであり、スイッチ（５）の第３のポート（２０５）はトランスペアレントであり第１（４０３）及び第２のポート（５０３）からマイクロプロセッサ回路（７０３）に向かって、及びその逆に、パケットを通過させ、マイクロプロセッサ回路（７０３）は、ターゲット及びパケットのタイプに拠ってタグ及び／又はパケットを変化させ、これにより、適切なポートへのデータパケットを、トランスペアレントに、接続するデバイスに向かわせる
請求項５又は６に記載のデバイス。
【請求項８】
スイッチ（５）の第１（４０３）と第２のポート（５０３）は、所定のＶＬＡＮタグを伴うデータパケットを受け入れ、所定のＶＬＡＮタグとは異なるＶＬＡＮタグを有するデータパケットをカットするようにのみ、構成される
請求項７に記載のデバイス。
【請求項９】
マイクロプロセッサ回路（７０３）は、
ビデオカメラ（１）が接続される若しくは接続可能な第２のポート（５０３）からビデオデータストリーミングを受信し、
前記データストリーミングにメタデータの更なるストリームを追加し、ここで前記更なるストリームは前記第２のポート（５０５）とは異なるインプットを介してマイクロプロセッサ回路（７０３）により受信されるものであり、
出力データストリーミングを、遠隔ターミナル（４）が接続される若しくは接続可能な第１のポート（４０３）に送信し、ここで前記出力データストリーミングは前記メタデータ及び、第２のポートから受信されたビデオデータを含み、これにより、ビデオデータ及びメタデータを単体のファイル内に格納させるものである
請求項１から８のうちのいずれか一に記載のデバイス。
【請求項１０】
メタデータの更なるストリームは、タイムスタンプ、フレーム信頼性情報、座標、ビデオコンテント分析データ、テレメタリデータ、パンチルトユニットへ関連された設備付属品の状態、及びハウジングへ関連された設備付属品の状態、から成るグループから選択可能な一つ以上の要素を含む
請求項９に記載のデバイス。
【請求項１１】
マイクロプロセッサ回路（７０３）は、
ビデオカメラ（１）が接続される若しくは接続可能な第２のポート（５０３）からビデオデータストリーミングを受信し、
前記配置ユニット（２）の配置座標を取得するために、前記配置ユニット（２）のコントロールユニット（３０２）を前記第３のポート（６０３）を介して取り調べ、
出力データストリーミングを、遠隔ターミナル（４）が接続される若しくは接続可能な第１のポート（４０３）に送信し、ここで前記出力データストリーミングは第２のポートから受信されたビデオデータ及び前記第３のポート（６０３）を介して取得される配置座標を含む
請求項１から１０のうちのいずれか一に記載のデバイス。
【請求項１２】
回路（７０３）は、前記第２のポート（５０３）を介してビデオカメラ（１）からデータをダウンロードするクライアント機能、特に、ＲＴＳＰクライアントと、第１のポート（４０３）を介して遠隔ターミナル（４）へデータを好ましくはリアルタイムで送信するサーバ機能、特にＲＴＳＰサーバとの両方を実行するように構成され、遠隔ターミナル（４）へのアウトプットデータストリームは、単体のファイルに格納されるように単体のストリームで転送される、映像、音声、及び配置ユニット（２）の配置座標を、含む
請求項１１に記載のデバイス。
【請求項１３】
第２のビデオカメラ（１‘）の接続のための第４のポート（５０３‘）を更に含み、
遠隔ターミナル（４）から生じるコマンドは、設置されたビデオカメラのタイプ及び関連配置ユニット（２）に拠ってデバイス（３）により、第２のポート（５０３）を介して第１のビデオカメラ（１）に送信されるコマンド、第４のポート（５０３‘）を介して第２のビデオカメラ（１’）に送信されるコマンド、及び第３のポート（６０３）を介して配置ユニット（２）に送信されるコマンドに分割され、第１のビデオカメラ（１）から、第２のビデオカメラ（１‘）から、及び配置ユニット（２）から、生じるデータストリームは、インタフェースデバイス（３）内にダウンロードされ、同じビデオストリーミング内部でビデオコントロールターミナル（４）にリアルタイムで送信される
請求項１から１２のうちのいずれか一に記載のデバイス。
【請求項１４】
ビデオカメラ（１）のための配置ユニット（２）であって、
前記配置ユニット（２）は、複数のデバイス及びアクチュエータ（２０２）をコントロールするように調整されたコントロールユニット（３０２）を含み、
それは、請求項１から１３のうちのいずれか一に記載のインタフェースデバイス（３）を含み、
前記配置ユニットは、ビデオカメラ（１）と接続するためのポートと、及び、前記遠隔ターミナル（４）と接続するためのポートとを含み、
ビデオカメラと接続するためのポートはデバイス（３）の第２のポート（５０３）であり、遠隔ターミナル（４）と接続するためのポートはデバイス（３）の第１のポート（４０３）である
配置ユニット。
【請求項１５】
ビデオカメラ（１）と該ビデオカメラ（１）のための配置ユニット（２）とを含むタイプのビデオ監視ステーションをコントロールする方法であって、
ビデオ監視ステーションは遠隔ビデオ監視ターミナル（４）からコマンドを受信するローカルマイクロプロセッサ回路（７０３）を含み、前記コマンドは、ビデオカメラ（１）により、及び／又は、ステーションの配置ユニット（２）により実行されるように意図されており、
前記インタフェースデバイス（３）は、
物理レベル若しくは論理レベルにて分離される二つのネットワーク（１０３、２０３）を介してビデオカメラ（１）及び遠隔ターミナル（４）と通信し、これにより、マイクロプロセッサ回路（７０３）のみが、第１のポート（４０３）と接続する遠隔ターミナル（４）から受信するデータを、第２のポート（５０３）に接続するビデオカメラ（１）、若しくは第３のポート（６０３）に接続する配置ユニット（２）に送信でき、また、その逆も可能であるが、一方で、前記第１のポート（４０３）に接続する遠隔ターミナル（４）は、前記第２のポート（５０３）に接続するビデオカメラ（１）、若しくは前記第３のポートに接続する配置ユニット（２）と通信をすることができない
方法。
【請求項１６】
マイクロプロセッサ回路（７０３）は、二つのネットワークカードにより分離された二つのネットワークセグメントを介して、遠隔ターミナル（４）及びビデオカメラ（１）と通信する
請求項１５に記載の方法。
【請求項１７】
遠隔ターミナルは、ビデオ監視ステーションに関連する単体のＩＰアドレスにデータを送信し、マイクロプロセッサ回路は、受信されたデータを選択してビデオカメラ（１）若しくは配置ユニット（２）へ送信する
請求項１５又は１６に記載の方法。
【請求項１８】
マイクロプロセッサ回路（７０３）は、
ビデオカメラ（１）からビデオデータストリーミングを受信し、
前記ビデオデータストリーミングにメタデータの更なるストリームを追加し、ここで前記更なるストリームは、ビデオ監視ステーションの内部の、ビデオカメラとは異なるソースから生じるものであり、
データストリーミングを遠隔ターミナルへ送信し、ここで出力データストリーミングは前記メタデータ及び、ビデオカメラから受信されたビデオデータを含み、これにより、ビデオデータ及びメタデータを単体のファイル内に格納させるものである
請求項１６又は１７に記載の方法。
【請求項１９】
メタデータは配置ユニット（２）の配置座標を含み、前記座標はマイクロプロセッサ回路（７０３）が前記配置ユニット（２）のコントロールユニット（３０２）を取り調べることにより取得される
請求項１８に記載の方法。
【国際調査報告】
2015511803.tif 000008
2015511803.tif 000009